(57)【要約】      （修正有）【課題】内部に区画収納される蓄電池及びインバーター等を容易にかつ迅速に接続するための接続指示図を備え、接続端末同士の接続を簡易にかつ迅速に行うことのできる携帯用バッテリーバッグを提供する。【解決手段】バッテリーバッグは、内部に少なくとも蓄電池及び前記蓄電池と接続され外部に充電を行うインバーターとを収納する区画収納部３３、３４とを備え、インバーターを使用して充電を行う場合にインバーターを載置する位置を表示するインバーター載置位置指示表示部４６と、インバーターと蓄電池とを接続する接続端末の接続位置を表示する接続位置指示表示部４６ｅと、外部接続端末の接続位置及び外部接続端末の種別を表示する充電接続位置指示表示部４６ａ〜４６ｄとを有する指示表示部材４０をさらに備える。【選択図】図１
0003222005.tif 000002
【実用新案登録請求の範囲】
【請求項１】
内部に少なくとも蓄電池及び前記蓄電池と接続され外部に充電を行うインバーターとを収納する区画収納部とを備え、
前記インバーターを使用して充電を行う場合に前記インバーターを載置する位置を表示するインバーター載置位置指示表示部と、前記インバーターを使用して充電を行う場合の前記インバーターと前記蓄電池とを接続する接続端末の接続位置を表示する接続位置指示表示部と、前記インバーターを使用して充電を行う場合の外部接続端末の接続位置及び前記外部接続端末の種別を表示する充電接続位置指示表示部とを有する指示表示部材を備えることを特徴とする携帯用バッテリーバッグ。
【請求項２】
内部に前記蓄電池を充電するための充電器を収納する区画収納部を備え、
前記指示表示部材に、前記充電器を使用して前記蓄電池の充電を行う場合に前記充電器を載置する位置を表示する充電器載置位置指示表示部と、前記充電器と前記蓄電池との接続を行う接続端末の接続位置及びを表示する充電接続位置指示表示部とを備えることを特徴とする請求項１に記載の携帯用バッテリーバッグ。
【請求項３】
蓄電池、前記蓄電池と接続され外部に充電を行うインバーター及び前記蓄電池を充電する充電器とを収納する区画収納部を設けた前面開口の箱状の内装体と、前記内装体を収納するバッグ本体とを備え、
前記内装体は開閉自在の蓋体を備え、
前記蓋体の裏面は前記インバーターを使用して充電を行う場合に前記インバーターを載置する位置を表示するインバーター載置位置指示表示部と、前記インバーターを使用して充電を行う場合の前記インバーターと前記蓄電池とを接続する接続端末の接続位置を表示する接続位置指示表示部と、前記インバーターを使用して充電を行う場合の外部接続端末の接続位置及び前記外部接続端末の種別を表示する充電接続位置指示表示部とを備え、
前記蓋体の表面は前記充電器を使用して前記蓄電池の充電を行う場合に前記充電器を載置する位置を表示する充電器載置位置指示表示部と、前記充電器と前記蓄電池との接続を行う接続端末の接続位置及びを表示する充電接続位置指示表示部とを備えてなることを特徴とする請求項１又は２に記載の携帯用バッテリーバッグ。
【考案の詳細な説明】
【技術分野】
【０００１】
本考案は、携帯用のバッテリーバッグに関するものであり、より詳細には、内部に区画収納される蓄電池及びインバーター等を容易にかつ迅速に接続するための接続指示図を備える携帯用バッテリーバッグに関する。
【背景技術】
【０００２】
従来、携帯用のバッテリーバッグとしては、例えば、特開平１０−１３７０３５号公報（特許文献１）に記載の携帯用のバッテリーバッグや特開２０１３−２２０２２号公報（特許文献２）に記載の携帯用のバッテリーバッグが公知である。
【０００３】
前記特許公報１に記載の携帯用バッテリーバッグは、蓄電池収納室とソーラー発電器収納室とが隔壁によって仕切られ、開閉自在なフラップ蓋が設けられている。長さ調節可能なベルト７、それぞれ収納部の前面左右上部のベルト通しを通して収納部の底面左右に止められている。左右の腕をそれぞれベルトと収納部の前面との間に通して両肩で背負う方法と、ベルトの中間部を上方に引き上げて、ベルトを片方の肩にかける方法のいずれの方法でも運搬することができるものであり、野外や電源設備がない場所で電気機器を使用するための電源用蓄電池や、蓄電池充電用のソーラー発電器を別々に携帯する必要がなくなり、歩行時に蓄電池とソーラー発電器を一緒に携帯することができるものである。
【０００４】
また、特許公報２に記載の携帯用バッテリーバッグは、コードを介してアダプタを接続したコンバータを収容する電源収納部を備え、電源収納部の開口部を開閉する線ファスナーに一対のスライダを設けて当該スライダの間からコードを引き出して、スライダに設けた引き手同士を連結体で連結することで、スライダをコードに追従して移動可能としており、電源収納部の開口部からコードを引き出しても開口部が不意に開いてしまうおそれをなくし、安心して使用できるようにしている。
【０００５】
しかしながら、前記特許公報１及び２に記載の携帯用バッテリーバッグは、収納されるバッテリーを外部電源に接続するための接続指示図のようなものの記載はない。
【先行技術文献】
【特許文献】
【０００６】
【特許文献１】特開平１０−１３７０３５号公報  第1頁  図１
【特許文献２】特開２０１３−２２０２２号公報  第1頁  図１
【考案の概要】
【考案が解決しようとする課題】
【０００７】
一方、例えば、前記携帯用バッテリーは、介護施設の送迎車内や養護施設のスクールバス内や施設・病院事務所内、訪問医療や訪問介護の現場等において、痰の吸引器の稼働、酸素濃縮器の稼働、介護用電動ベッドの稼働、電動車椅子の稼働、携帯電話の充電に必要な場合がある。かかる場合は、外部の接続端末が複数の種類があるものが望ましく、また、収納されるバッテリーに充電できるものが望ましい。しかしながら、それぞれの接続用の端末が複数あり、どのように接続するのかは非常に煩雑になる。また、前記のような場合には、緊急に充電する必要が生じる場合があり、端末同士の接続を簡易にかつ迅速に行う必要がある。
【０００８】
本考案は、かかる点に鑑みてなされたものであり、その目的とするところは、携帯用のバッテリーバッグにおいて、内部に区画収納される蓄電池及びインバーター等を容易にかつ迅速に接続するための接続指示図を備え、接続端末同士の接続を簡易にかつ迅速に行うことのできる携帯用バッテリーバッグを提供することを目的とする。
【課題を解決するための手段】
【０００９】
請求項１に記載の携帯用バッテリーバッグは、内部に少なくとも蓄電池及び前記蓄電池と接続され外部に充電を行うインバーターとを収納する区画収納部とを備え、前記インバーターを使用して充電を行う場合に前記インバーターを載置する位置を表示するインバーター載置位置指示表示部と、前記インバーターを使用して充電を行う場合の前記インバーターと前記蓄電池とを接続する接続端末の接続位置を表示する接続位置指示表示部と、前記インバーターを使用して充電を行う場合の外部接続端末の接続位置及び前記外部接続端末の種別を表示する充電接続位置指示表示部とを有する指示表示部材を備えることを特徴とする。
【００１０】
請求項１に記載の携帯用バッテリーバッグにあっては、収納される前記バッテリーから外部電源に充電を行う場合は、前記指示表示部材に設けられる前記インバーター載置位置指示表示部によって指示される箇所に前記インバーターを載置し、前記インバーターと前記蓄電池とを接続する接続端末の接続位置を表示する接続位置指示表示部と、前記インバーターを使用して充電を行う場合の外部接続端末の接続位置及び前記外部接続端末の種別を表示する充電接続位置指示表示部とによって、前記蓄電池、前記インバーター及び前記外部接続端末との接続を行うことができるので、それぞれの機器に対して、端子接続を容易かつ迅速に行うことができる。
【００１１】
請求項２に記載の携帯用バッテリーバッグは、請求項１に記載の携帯用バッテリーバッグにおいて、内部に前記蓄電池を充電するための充電器を収納する区画収納部を備え、前記指示表示部材に、前記充電器を使用して前記蓄電池の充電を行う場合に前記充電器を載置する位置を表示する充電器載置位置指示表示部と、前記充電器と前記蓄電池との接続を行う接続端末の接続位置及びを表示する充電接続位置指示表示部とを備えることを特徴とする。
【００１２】
請求項２に記載の携帯用バッテリーバッグにあっては、請求項１に記載の携帯用バッテリーバッグに加えて、前記バッテリーに外部電源から充電を行う場合に、前記指示表示部材に設けられる前記充電器載置位置指示表示図によって指示される箇所に前記インバーターを載置し、前記充電器と前記蓄電池との接続を行う接続端末の接続位置及びを表示する充電接続位置指示表示部とによって、前記蓄電池及び前記充電池との接続を行うことができるので、それぞれの機器に対して、端子接続を容易かつ迅速に行うことができる。
【００１３】
請求項３に記載の携帯用バッテリーバッグは、請求項１又は請求項２に記載の携帯用バッテリーバッグにおいて、前記蓄電池、前記蓄電池と接続され外部に充電を行うインバーター及び前記蓄電池を充電する充電器とを収納する区画収納部を設けた前面開口の箱状の内装体と、前記内装体を収納するバッグ本体とを備え、前記内装体は開閉自在の蓋体を備え、前記蓋体の裏面は前記インバーターを使用して充電を行う場合に前記インバーターを載置する位置を表示するインバーター載置位置指示表示部と、前記インバーターを使用して充電を行う場合の前記インバーターと前記蓄電池とを接続する接続端末の接続位置を表示する接続位置指示表示部と、前記インバーターを使用して充電を行う場合の外部接続端末の接続位置及び前記外部接続端末の種別を表示する充電接続位置指示表示部とを備え、前記蓋体の表面は前記充電器を使用して前記蓄電池の充電を行う場合に前記充電器を載置する位置を表示する充電器載置位置指示表示部と、前記充電器と前記蓄電池との接続を行う接続端末の接続位置及びを表示する充電接続位置指示表示部とを備えてなることを特徴とする。
【００１４】
請求項３に記載の携帯用バッテリーバッグにあっては、前記バッテリーに外部電源から充電を行う場合に、前記表示部材に設けられる前記充電器載置位置指示表示図によって指示される箇所に前記インバーターを載置し、前記充電器と前記蓄電池との接続を行う接続端末の接続位置及びを表示する充電接続位置指示表示部とによって、前記蓄電池及び前記充電池との接続を行うことができると共に、前記バッテリーに外部電源から充電を行う場合に、前記表示部材に設けられる前記充電器載置位置指示表示図によって指示される箇所に前記インバーターを載置し、前記充電器と前記蓄電池との接続を行う接続端末の接続位置及びを表示する充電接続位置指示表示部とによって、前記蓄電池及び前記充電池との接続を行うことができるので、それぞれの機器に対して、端子接続を容易かつ迅速に行うことができる。
【考案の効果】
【００１５】
請求項１に記載の携帯用バッテリーバッグによれば、内部に少なくとも蓄電池及び前記蓄電池と接続され外部に充電を行うインバーターとを収納する区画収納部とを備え、前記インバーターを使用して充電を行う場合に前記インバーターを載置する位置を表示するインバーター載置位置指示表示部と、前記インバーターを使用して充電を行う場合の前記インバーターと前記蓄電池とを接続する接続端末の接続位置を表示する接続位置指示表示部と、前記インバーターを使用して充電を行う場合の外部接続端末の接続位置及び前記外部接続端末の種別を表示する充電接続位置指示表示部とを有する指示表示部材を備えているので、収納される前記バッテリーから外部電源に充電を行う場合は、前記指示表示部材に設けられる前記インバーター載置位置指示表示部によって指示される箇所に前記インバーターを載置し、前記インバーターと前記蓄電池とを接続する接続端末の接続位置を表示する接続位置指示表示部と、前記インバーターを使用して充電を行う場合の外部接続端末の接続位置及び前記外部接続端末の種別を表示する充電接続位置指示表示部とによって、前記蓄電池、前記インバーター及び前記外部接続端末との接続を行うことができるので、それぞれの機器に対して、端子接続を容易かつ迅速に行うことができる。
【００１６】
請求項２に記載の携帯用バッテリーバッグによれば、請求項１に記載の携帯用バッテリーバッグにおいて、内部に前記蓄電池を充電するための充電器を収納する区画収納部を備え、前記指示表示部材に、前記充電器を使用して前記蓄電池の充電を行う場合に前記充電器を載置する位置を表示する充電器載置位置指示表示部と、前記充電器と前記蓄電池との接続を行う接続端末の接続位置及びを表示する充電接続位置指示表示部とを備えているので、請求項１に記載の携帯用バッテリーバッグに加えて、前記バッテリーに外部電源から充電を行う場合に、前記表示部材に設けられる前記充電器載置位置指示表示図によって指示される箇所に前記インバーターを載置し、前記充電器と前記蓄電池との接続を行う接続端末の接続位置及びを表示する充電接続位置指示表示部とによって、前記蓄電池及び前記充電池との接続を行うことができるので、それぞれの機器に対して、端子接続を容易かつ迅速に行うことができる。
【００１７】
請求項３に記載の携帯用バッテリーバッグによれば、請求項１又は請求項２に記載の携帯用バッテリーバッグにおいて、前記蓄電池、前記蓄電池と接続され外部に充電を行うインバーター及び前記蓄電池を充電する充電器とを収納する区画収納部を設けた前面開口の箱状の内装体と、前記内装体を収納するバッグ本体とを備え、前記内装体は開閉自在の蓋体を備え、前記蓋体の裏面は前記インバーターを使用して充電を行う場合に前記インバーターを載置する位置を表示するインバーター載置位置指示表示部と、前記インバーターを使用して充電を行う場合の前記インバーターと前記蓄電池とを接続する接続端末の接続位置を表示する接続位置指示表示部と、前記インバーターを使用して充電を行う場合の外部接続端末の接続位置及び前記外部接続端末の種別を表示する充電接続位置指示表示部とを備え、前記蓋体の表面は前記充電器を使用して前記蓄電池の充電を行う場合に前記充電器を載置する位置を表示する充電器載置位置指示表示部と、前記充電器と前記蓄電池との接続を行う接続端末の接続位置及びを表示する充電接続位置指示表示部とを備えているので、前記バッテリーに外部電源から充電を行う場合に、前記表示部材に設けられる前記充電器載置位置指示表示図によって指示される箇所に前記インバーターを載置し、前記充電器と前記蓄電池との接続を行う接続端末の接続位置及びを表示する充電接続位置指示表示部とによって、前記蓄電池及び前記充電池との接続を行うことができると共に、前記バッテリーに外部電源から充電を行う場合に、前記表示部材に設けられる前記充電器載置位置指示表示図によって指示される箇所に前記インバーターを載置し、前記充電器と前記蓄電池との接続を行う接続端末の接続位置及びを表示する充電接続位置指示表示部とによって、前記蓄電池及び前記充電池との接続を行うことができるので、それぞれの機器に対して、端子接続を容易かつ迅速に行うことができる。
【図面の簡単な説明】
【００１８】
【図１】本考案に係る携帯用バッテリーバッグを構成するバッグ本体及び内装体の分解斜視図である。
【図２】本考案に係る携帯用バッテリーバッグの背面側斜視図である。
【図３】同開蓋状態の斜視図である。
【図４】同内蓋（レクチャーパッド）を開蓋した状態の斜視図である。
【図５】同内蓋（レクチャーパッド）の表面図である。
【図６】同内蓋（レクチャーパッド）の裏面図である。
【図７】インバーターの接続端子を備える両側面図であり、（ａ）は一側面であり、（ｂ）は他側面である。
【図８】充電器の接続端子を備える両側面図であり、（ａ）は一側面であり、（ｂ）は他側面である。
【図９】内蓋（レクチャーパッド）の裏面にインバーターを載置した斜視図である。
【図１０】内蓋（レクチャーパッド）の裏面に充電器を載置した斜視図である。
【考案を実施するための最良の形態】
【００１９】
以下、本考案に係る携帯用バッテリーバッグを実施するための実施形態について、図面に従って説明する。
【００２０】
図１は、本考案に係る携帯用バッテリーバッグを構成するバッグ本体及び内装体の分解斜視図であり、図２は本考案に係る携帯用バッテリーバッグの背面側斜視図である。また、図３は、同開蓋状態の斜視図であり、図４は同内蓋（レクチャーパッド）を開蓋した状態の斜視図である。また、図５は同内蓋（レクチャーパッド）の表面図であり、図６は同内蓋（レクチャーパッド）の裏面図である。
【００２１】
図１乃至図６において、１０は本考案に係る携帯用バッテリーバッグであり、前記携帯用バッテリーバッグ１０は、布製のバッグ本体２０と、前記バッグ本体２０に内装され、蓄電池５０，インバーター６０及び充電器７０を収納する内装体３０を備える。
【００２２】
前記バッグ本体２０には、前面を開放する蓋体２１と上部に取り付けられる持ち手２２と背面側上部及び下部に取り付けられる肩掛け２３を備えている。
【００２３】
前記内装体３０は、厚めの布帛や不織布又は合成樹脂等で形成され、前記バッグ本体２０の内寸に合わせた外寸にて形成される。そして、前記内装体３０は、前記内装体３０の上下を区画する仕切板３１と、前記仕切板３１により区画された下部空間を左右に区画する仕切板３２とにより、上部のインバーター収納部３３と下部左側のバッテリー収納部３４と下部右側の充電器収納部３２に区画して形成される。また、前記内装体３０は背面板３６を備え、前面開口型の箱体として形成されている。
【００２４】
そして、前記前面開口型の内装体３０の前面には開閉自在の内蓋４０が取り付けられており、前記内蓋４０の表面４１には、図５に詳細に示すように、前記インバーター６０を収納する前記インバーター収納部３３に符合する前記インバーター６０の収納位置を表示する線図４２が表示され、前記バッテリー５０を収納する前記バッテリー収納部３４に符合する前記バッテリー５０の収納位置を表示する線図４３及び前記充電器７０を収納する前記充電器収納部３５と符合する前記充電器７０の収納位置を表示する線図４４が表示され、前記内蓋４０を開かない状態で、どの区画に何が収納されているかが一目で判別できるように形成されている。
【００２５】
また、前記内蓋４０の裏面４５には、図６に詳細に示すように、前記インバーター６０の外寸とほぼ同じ寸法の線図で表示されるインバーター載置位置指示表示図４６が表示されており、前記インバーター載置位置指示表示図４６に合わせて前記インバーター６０を載置した場合に、前記インバーター６０の側面に設けられた出入力用の端子の位置に符合させて、前記裏面４５上に、接続される外部端子の絵文字状の表示図（４６ａ〜４６ｅ）を表示している。図中４６ａは、ＡＣ１００Ｖ用の充電接続位置指示表示図であり、４６ｂは、ＵＳＢ用の充電接続位置指示表示図であり、４６ｃはＡＣ１００Ｖ用の充電接続位置指示表示図であり、４６ｄは、ＤＣ１２Ｖ用の充電接続位置指示表示図であり、４６ｅはバッテリー接続用接続指示表示図である。
【００２６】
図７は前記インバーター６０の接続端子を備える両側面図であり、（ａ）は一側面であり、（ｂ）は他側面である。前記インバーター６０の一側面６１には、ＡＣ１００Ｖ充電用接続端子６０ａ、ＵＳＢ充電用接続端子６０ｂ、ＵＳＢ充電用接続端子６０ｃ、ＡＣ１００Ｖ充電用接続端子６０ｄが設けられており、前記インバーター６０の他側面６２には、ＤＣ１２Ｖ充電用接続端子６０ｅが設けられおり、また、前記バッテリー５０と接続するバッテリー接続用端末６０ｄを有している。
【００２７】
したがって、前記ＡＣ１００Ｖ用の充電接続位置指示表示図４６ａは前記ＡＣ１００Ｖ充電用接続端子６０ａと符合する位置に表示され、ＵＳＢ用の充電接続位置指示表示図４６ｂは前記ＵＳＢ充電用接続端子６０ｂ、６０ｃと符合する位置に表示され、前記ＡＣ１００Ｖ用の充電接続位置指示表示図４６ｃは前記ＡＣ１００Ｖ充電用接続端子６０ｄと符合する位置に表示され、前記ＤＣ１２Ｖ用の充電接続位置指示表示図４６ｄは前記ＤＣ１２Ｖ充電用接続端子６０ｅと符合する位置に表示されている。
【００２８】
さらに、前記内蓋４０の裏面４５には、前記充電器７０の外寸とほぼ同じ寸法の線図で表示される充電器載置位置指示表示図４７が表示されており、前記充電器載置位置指示表示図４７に合わせて前記電器７０を載置した場合に、前記充電器７０の側面に設けられた出入力用の端子の位置に符合させて、前記裏面４５上に、接続される外部端子の絵文字状の表示図（４７ａ、４７ｂ）を表示している。図中４７ａは充電用ＡＣ１００Ｖ接続位置表示図であり、４７ｂはバッテリー接続用接続位置指示表示図である。
【００２９】
図８は、充電器の接続端子を備える両側面図であり、（ａ）は一側面であり、（ｂ）は他側面である。前記充電器７０の一側面７１にはＡＣ１００Ｖ用接続端子７０ａが設けられ、他側面７２にはバッテリー接続用接続端子７０ｂが設けられる。
【００３０】
したがって、前記充電用ＡＣ１００Ｖ接続位置表示図４７ａは、前記ＡＣ１００Ｖ用接続端子７０ａと符合する位置に表示され、前記バッテリー接続用接続位置指示表示図４７ｂは前記バッテリー接続用接続端子７０ｂと符合する位置に表示されている。
【００３１】
図９は前記内蓋４０（レクチャーパッド）の裏面４５に前記インバーター６０を載置した斜視図であり、図１０は前記内蓋４０（レクチャーパッド）の裏面４５に前記充電器７０を載置した斜視図である。
【００３２】
本件発明に係る前記携帯用バッテリーバッグ１０は、以上の構成からなるので、収納される前記バッテリー５０から外部電源に充電を行う場合は、図９に示すように、開放された前記内蓋４０の裏面４５のうえに、前記インバーター６０を、前記インバーター載置位置指示表示図４６にしたがって、載置する。そして、充電を行いたい電源から出ている端末の種類に合わせて、前記裏面４５上に表示された接続位置指示表示図（４６ａ〜４６ｄ）にしたがって、前記インバーター６０の一側面６１又は他側面６２の接続端末に接続するのである。そして、前記前記インバーター６０の他側面６２から出ている前記バッテリー接続用端末６０ｄと前記バッテリー５０のインバーター接続用端子５２とを接続して前記外部電源に充電を行うのである。
【００３３】
また、前記バッテリー５０に外部ＡＣ１００Ｖから充電を行う場合は、図１０に示すように、開放された前記内蓋４０の裏面４５のうえに、前記充電器７０を、前記充電器載置位置指示表示図４７にしたがって、載置する。そして、付属の充電用コード８０の充電器接続用端末８０ａを前記充電器７０のＡＣ１００Ｖ用接続端子７０ａに接続し、一方、前記バッテリー５０の前記充電器接続用端子５１を前記充電器７０の他側面７２に設けた前記バッテリー接続用接続端子７０ｂと接続し、前記バッテリー５０に対して充電を行うのである。
【００３４】
さらに、前記内蓋４０の表面４１には、収納される機器の収納箇所及び外形が表示されているので、前記内蓋４０を開かない状態で、どの区画に何が収納されているかが一目で判別できる
【００３５】
このように、前記バッテリー５０から前記インバーター６０を介して外部電源に給電する場合や、また、前記充電器７０を用いて外部電源から充電する場合にも、前記レクチャーパッド４０の指示表示に沿って行うことができるので、それぞれの機器に対して、端子接続を容易かつ迅速に行うことができる。
【００３６】
なお、前記内蓋４０は、前記内装体３０に開閉自在に取り付けているが、前記内装体３０と別体としても良い。
【符号の説明】
【００３７】
１０    携帯用バッテリーバッグ
２０    バッグ本体（アウター）
２１    開閉蓋
２２    持ち手
２３    肩掛け
３０    内装体（インナー）
３１    仕切壁（上下）
３２    仕切壁（左右）
３３    インバーター収納部
３４    バッテリー収納部
３５    充電器収納部
３６    背面板
４０    内蓋（レクチャーパレット）
４１    表面（収納位置説明図）
４２    インバーター収納位置説明図
４３    バッテリー収納位置説明図
４４    充電器収納位置説明図
４５    裏面（接続位置説明図）
４６    インバーター載置位置指示表示図
４６ａ  ＡＣ１００Ｖ用充電接続位置指示表示図
４６ｂ  ＵＳＢ用充電接続位置指示表示図
４６ｃ  ＡＣ１００Ｖ用充電接続位置指示表示図
４６ｄ  ＤＣ１２Ｖ用充電接続位置指示表示図
４６ｅ  バッテリー接続用接続指示表示図
４７    充電器載置位置指示表示図
４７ａ  充電用ＡＣ１００Ｖ接続位置表示図
４７ｂ  バッテリー接続用接続位置指示表示図
５０    バッテリー
５１    充電器接続用端子
５２    インバーター接続用端子
６０    インバーター
６０ａ  ＡＣ１００Ｖ充電用接続端子
６０ｂ  ＵＳＢ充電用接続端子
６０ｃ  ＵＳＢ充電用接続端子
６０ｄ  ＡＣ１００Ｖ充電用接続端子
６０ｅ  ＤＣ１２Ｖ充電用接続端子
６０ｄ  バッテリー接続用端末
６１    一側面
６２    他側面
７０    充電器
７０ａ  ＡＣ１００Ｖ用接続端子
７０ｂ  バッテリー接続用接続端子
８０    充電用コード
８０ａ  充電器接続用端末
８０ｂ  外部ＡＣ１００Ｖ接続用コンセント
【図１】
0003222005.tif 000003
【図２】
0003222005.tif 000004
【図３】
0003222005.tif 000005
【図４】
0003222005.tif 000006
【図５】
0003222005.tif 000007
【図６】
0003222005.tif 000008
【図７】
0003222005.tif 000009
【図８】
0003222005.tif 000010
【図９】
0003222005.tif 000011
【図１０】
0003222005.tif 000012